(57)【要約】【課題】  前後の厚さよりも左右の寸法が大きい略直方体の外形を有する携帯型機器において、面取り加工によって厚さを薄く見せる効果が充分に引き出された携帯型機器を提供すること。【解決手段】前後の厚さよりも左右の寸法が大きい略直方体の外形を有する携帯型機器において、稜角部に面取りによって斜面１１１ａ，１１２ａを形成し、それら斜面１１１ａ，１１２ａの稜線部１１１１ａ，１１２１ａによって新たに上面を仕切り、厚さを薄く見せる。面取りの効果を充分に引き出すため、斜面１１１０ａ，１２１０ａを粗面化することにより低反射率に形成し、稜線部１１１１ａ，１１２１ａを浮き立たせ、上面を薄く見せる。【選択図】    図２
2005274988.tif 000002
【特許請求の範囲】
【請求項１】
前後の厚さよりも左右の寸法が大きい略直方体の外形を有する携帯型機器において、
上面と前面もしくは後面とで形成される稜角部分が面取りされて該面取りにより形成された斜面と前記上面との間に稜線が形成されてなるとともに、
前記斜面が、前記上面よりも低反射率に形成されてなることを特徴とする携帯型機器。
【請求項２】
前記斜面が粗面化加工により、前記上面よりも低反射率に形成されてなることを特徴とする請求項１記載の携帯型機器。
【請求項３】
前記斜面が、低反射率の塗料で下塗りされることにより、前記上面よりも低反射率に形成されてなるものであることを特徴とする請求項１記載の携帯型機器。
【請求項４】
前記斜面が、前記上面の塗装よりも低反射率の塗料で塗装されてなることを特徴する請求項１記載の携帯型機器。
【発明の詳細な説明】
【技術分野】
【０００１】
本発明は、前後の厚さよりも左右の寸法が大きい略直方体の外形を有する携帯型機器に関する。
【背景技術】
【０００２】
カメラや携帯電話などの携帯型機器の小型化、薄型化が進んでいる。その小型化、薄型化に伴い、携帯型機器の薄型化、小型化にも種々工夫が凝らされている（例えば特許文献１参照）。しかし、このような携帯型機器の小型化、薄型化はほぼ限界に達してきており、最近では携帯型機器の容積を変えずに見た目が小さくかつ薄く見えるような様々な工夫が施されている。このような携帯型機器は、前後の厚さよりも左右の寸法が大きい略直方体形のものが多いが、そのような略直方体の外形を有する携帯型機器の稜角部分を面取りしてその携帯型機器をコンパクトに見せるものがある。これは、例えば略直方体の外形を有する携帯型機器の上面と前面とで形成される稜角部分に面取り加工を施し、その面取りにより形成された斜面が上面とは別の面であることを印象付けることによって厚さを薄く見せようというものである。尚、厚さを薄く見せるという点については、その稜角部分を曲面に形成する（Ｒ加工を施す）技術も採用されているが、面取り加工ほどの効果は得られていない。
【０００３】
この面取りにより斜面を形成して薄く見せる効果を最大限引き出そうとする場合、上面側の面取り寸法を少し大きくとり、面取りにより形成された斜面の稜線部で仕切られる上面の幅を狭くする方法が考えられるが、その場合には前面側の面取り寸法によって斜面が緩やかになりすぎて斜面が上面と同一視され、薄く見せる効果が半減してしまうことがある。また、上面側の面取り寸法を大きくとり、前面側の面取り寸法も大きくとると、容積が減り、必要な構成部品を収容するためにその略直方体形状全体を大型化する必要を生じる恐れがある。
【０００４】
図１は携帯型機器の一例である従来のコンパクトカメラ１の外観を示す図である、
図１には前後の厚さよりも左右の寸法が大きい略直方体の外形を有する携帯型機器としてコンパクトカメラ１を例に挙げそのコンパクトカメラ１のカメラボディ１ａの外観を示してある。
【０００５】
図１に示すコンパクトカメラ１の構成を説明する。
【０００６】
図１に示すコンパクトカメラ１のカメラボディ１ａの前面中央には撮影レンズ１０が備えられており、その撮影レンズ１０の上方にファインダの対物窓１０１、測距用の投光窓１０２ａおよび受光窓１０２ｂ、測光窓１０３が並べて設けられている。撮影時にはカメラボディ後面１３ａ側にあるファインダの接眼窓を覗きながらフレーミングが行なわれ、カメラ上面１１ａにあるレリーズ釦１０４が押下され撮影が行なわれる。このレリーズ釦１０４が押下され、撮影が行なわれるときには測光窓１０３を通してカメラボディ内部に取り込まれた被写界光を基にカメラボディ内部の測光部（図示せず）で被写界輝度の測定が行なわれるとともに、投光窓１０２ａを通して投光された光が受光窓１０２ｂを通して受光され、この受光された光を基にカメラボディ内部の測距部で被写体距離が測定されてピントのあった鮮明な画像がカメラボディ内部に装填されたフィルム上に露光される。また、このカメラボディ内部の測光部で被写界輝度を測定した結果、その測定した被写界輝度が閃光を必要とする程度の明るさであった場合には、レリーズ釦１０４が押下されたタイミングに同期して閃光発光窓１０５から閃光が発せられ撮影が行なわれる。
【０００７】
このようなコンパクトカメラ１は、前後の厚さよりも左右の寸法が大きい略直方体の外形を有しており、カメラボディ１ａの上面１１ａと前面１２ａとで形成される稜角部、上面１１ａと後面１３ａとで形成される稜角部の双方の稜角部に面取りにより斜面１１１ａ、１２１ａが形成され、このコンパクトカメラ１のカメラボディ１ａを見た目薄く見せる工夫が凝らされている。このようなコンパクトカメラ１に代表される携帯型機器にあってはユーザがこのコンパクトカメラのカメラボディ１ａを斜め上方から見る機会が多く、この斜め上方からこのカメラボディ１ａを見たときに薄く見える効果が最も顕著に現われるのが上面１１ａと前面１２ａとで形成される稜角部に形成された斜面１１１ａ、および上面１１ａと後面１３ａとで形成される稜角部に形成された斜面１２１ａである。
【０００８】
すなわち、図１に示すカメラボディ１ａを斜め上方から見ると、見る側にとってはその面取りにより形成された斜面１１１ａ，１２１ａが陰になって、その斜面１１１ａ，１２１ａの稜線部１１１１ａ，１２１１ａによって仕切られた上面１１ａの厚さが薄く見える。
【０００９】
しかし、このコンパクトカメラに当たる外光の加減によっては、斜面１１１ａが陰にならず、上面１１ａと斜面１１１ａとが同じように反射して見えてしまい、上面１１ａと斜面１１１ａとが１つの面に見えてしまってカメラボディ１ａの厚さがあまり薄く見えないことがある。
【特許文献１】特開２００１−１１９４５５号公報
【発明の開示】
【発明が解決しようとする課題】
【００１０】
本発明は上記問題点を解決し、前後方向の厚さをより薄く見せることができる前後の厚さよりも左右の寸法が大きい略直方体の外形を有する携帯型機器を提供することを目的とするものである。
【課題を解決するための手段】
【００１１】
本発明の携帯型機器は、前後の厚さよりも左右の寸法が大きい略直方体の外形を有する携帯型機器において、
上面と前面もしくは後面とで形成される稜角部分が面取りされてその面取りにより形成された斜面と前記上面との間に稜線が形成されてなるとともに、
上記斜面が、上記上面よりも低反射率に形成されてなることを特徴とする。
【００１２】
上記携帯型機器によれば、上記斜面を上記上面よりも低反射率に形成して、上記面取りにより形成された斜面と上記上面との間の上記稜線を浮き立たせることによって、この携帯型機器を斜め上方から見たときに、その携帯型機器の上記上面と上記斜面とが別の面であることを強烈に印象づけることができる。このように上記上面と上記斜面とが別の面であることを強烈に印象づけることでこの携帯型機器の前後方向の厚さをより薄く見せることができる。
【００１３】
上記斜面は粗面化加工により上記上面よりも低反射率に形成されたものであっても良く、もしくは低反射率の塗料で下塗りされることにより上記上面よりも低反射率に形成されたものであっても良く、もしくは上記上面の塗装よりも低反射率の塗料で塗装されたものであっても良い。いずれの場合も簡単な仕上げを低コストで施すことができ、前後方向の厚さを薄く見せることができる前後の厚さよりも左右の寸法が大きい略直方体の外形を有する携帯型機器が実現される。
【００１４】
なお、上面と前面もしくは後面とで形成される稜角部分に面取りにより斜面を形成するとともに、他の稜角部分にも面取りにより斜面を形成してそれら斜面を低反射率に形成したものであっても良く、その場合には携帯型機器の前後方向の厚さだけでなく、高さ方向、長さ方向ともコンパクトに見せることもできる。
【発明の効果】
【００１５】
本発明によれば、前後方向の厚さをより薄く見せることができる前後の厚さよりも左右の寸法が大きい略直方体の外形を有する携帯型機器を提供することができる。
【発明を実施するための最良の形態】
【００１６】
以下図面を参照して本発明の実施の形態を説明する。
【００１７】
図２は本発明の携帯型機器の一実施形態を示す図である。
【００１８】
図２には図１と同様のコンパクトカメラ１が例に挙げられている。
【００１９】
図２に示すコンパクトカメラ１は、カメラボディ１ａの稜角部が面取りされ、その面取りにより形成された斜面１１１０ａ，１２１０ａがサンドブラスト仕上げにより粗面化されている。このように斜面１１１０ａ，１２１０ａが粗面化されていると、これら斜面１１１０ａ，１２１０ａの反射率が上面１１ａよりも低下する。したがってこのコンパクトカメラを斜め上方から見ると、上面１１ａと前面１２ａとの間、および上面１１ａと後面１３ａとの間に形成された斜面１１１０ａ，１２１０ａが陰になってその斜面１１１０ａ，１２１０ａの稜線部１１１１ａ，１２１１ａが双方強調され、上面１１ａの幅がより薄く見える。
【００２０】
このように、いままでであれば、面取りにより形成された斜面１１１ａ，１２１ａと上面１１ａとの間の反射率に差がないため面取りを施してもカメラボディが薄く見える効果が半減されることがあったが、本実施形態のコンパクトカメラ１によれば、斜面１１１ａ，１２１ａの反射率が下がった分、斜面の稜線部１１１１ａ，１１２１ａが浮き立ったように見え、上面１１ａと前面１２ａ、上面１１ａと後面１３ａとがそれぞれ別の面であることを強烈に印象づけることができ、このコンパクトカメラ１の前後方向の厚さをより薄く見せることができる。
【００２１】
また、図１のコンパクトカメラ１においては面取りにより形成された斜面１１１ａ，１２１ａがサンドブラスト仕上げにより粗面化されて低反射率に形成されたものを例に挙げたが、斜面１１１ａ，１２１ａが低反射率の塗料で下塗りされ低反射率に形成されたものであっても良く、斜面１１１ａ，１２１ａが低反射率の塗料で上塗りされ塗装されたものであっても良い。このような低反射率の塗料としては例えば、黒色のものがあり、黒色の下塗りや上塗りを施すことで低反射率に斜面を形成し、斜面１１１ａ，１２１ａの稜線部１１１ａ，１２１１ａを際立たせることで、上記上面１１ａと上記斜面１１１０ａ，１２１０ａとが別の面であることを強烈に印象付けることができ、カメラボディ１ａの前後方向の厚さをより薄く見せることもできる。
【００２２】
いずれにしても、簡単な仕上げにより低反射率の斜面が簡単に形成されるので、このコンパクトカメラを製作するにあたり、低コスト化を図れるというメリットもある。
【００２３】
また、本実施形態のコンパクトカメラにおいては、上面１１ａと前面１２ａ、上面１１ａと後面１３ａ、ほか他の稜角部にも面取りを施し、その面取りにより形成された斜面を粗面化加工により低反射率に形成してある。このようにしておくと、このコンパクトカメラの前後方向の厚さを薄く見せるだけでなく高さ方向、長さ方向もコンパクトに見せる効果が期待される。
【００２４】
なお、本発明においては、必ず、上面と前面とで形成された稜角部分、上面と後面とで形成された稜角部分双方に面取りを施したものである必要はなく、いずれか一方の稜角部分に面取りを施したものであっても良い。
【図面の簡単な説明】
【００２５】
【図１】携帯型機器の一例である従来のコンパクトカメラの外観を示す図である、
【図２】本発明の携帯型機器の最良の形態を示す図である。
【符号の説明】
【００２６】
１  コンパクトカメラ
１ａ  カメラボディ
１１ａ    カメラボディ上面
１１１ａ    斜面
１１１０ａ    粗面化された斜面
１１１１ａ    稜線
１２ａ    カメラボディ前面
１２１ａ    斜面
１２１０ａ    粗面化された斜面
１２１１ａ    稜線
【図１】
2005274988.tif 000003
【図２】
2005274988.tif 000004